(57)【特許請求の範囲】
【請求項１】
携帯型テレビジョン受像機に接続されるアンテナ内蔵型ヘッドホンであって、
音声信号が供給される右用音響ユニット及び左用音響ユニットと、
上記右用音響ユニットと左用音響ユニットとを接続するバンド部と、
上記バンド部に内蔵されるテレビ受信用アンテナであって、受信する周波数帯の中心周波数の波長の１／Ｎ（Ｎは自然数）の長さに調節された線材からなる複数のアンテナと、
上記右用音響ユニット及び左用音響ユニットにそれぞれ接続された音響用コードと、上記複数のアンテナにそれぞれ接続されたアンテナ用同軸ケーブルと、上記音響用コードと同軸ケーブルとをまとめるチューブ部材とからなるコード部と、
上記コード部の端部に設けられ、上記音響用コード及び上記アンテナ用同軸ケーブルを上記携帯型テレビジョン受像機の所定の機能部に接続するためのプラグ部と
を有することを特徴とするアンテナ内蔵型ヘッドホン。
【請求項２】
上記携帯型テレビジョン受像機は、複数の上記アンテナで受信される無線信号のうち何れか１つを選択する選択手段と、この選択手段が選択したアンテナで受信された無線信号から映像信号を出力する受信手段と、上記選択手段に接続され電界強度が最も高いアンテナを検出するレベル検出手段と、このレベル検出手段が検出したアンテナを選択するよう上記選択手段を制御する制御手段とを有することを特徴とする請求項１記載のアンテナ内蔵型ヘッドホン。
【請求項３】
上記制御手段は、上記アンテナの受信状態を比較してアンテナを切り替えるダイバーシチ処理部を有することを特徴とする請求項２記載のアンテナ内蔵型ヘッドホン。
【請求項４】
音声信号が供給される右用音響ユニット及び左用音響ユニットと、上記右用音響ユニットと左用音響ユニットとを接続するバンド部と、上記バンド部に内蔵されるテレビ受信用アンテナであって、受信する周波数帯の中心周波数の波長の１／Ｎ（Ｎは自然数）の長さに調節された線材からなる複数のアンテナと、上記右用音響ユニット及び左用音響ユニットにそれぞれ接続された音響用コードと、上記複数のアンテナにそれぞれ接続されたアンテナ用同軸ケーブルと、上記音響用コードと同軸ケーブルとをまとめるチューブ部材とからなるコード部と、上記コード部の端部に設けられ、上記音響用コード及び上記アンテナ用同軸ケーブルを所定の機能部に接続するためのプラグ部とを有するアンテナ内蔵型ヘッドホンと、
複数の上記アンテナのうち何れか１つを選択する選択手段と、
この選択手段が選択したアンテナで受信される無線信号から映像信号を出力する受信手段と、
上記選択手段に接続され電界強度が最も高いアンテナを検出するレベル検出手段と、
このレベル検出手段が検出したアンテナを選択するよう上記選択手段を制御する制御手段と
を有することを特徴とする携帯型テレビジョン受像機。
【請求項５】
上記制御手段は、上記アンテナの受信状態を比較してアンテナを切り替えるダイバーシチ処理部を有することを特徴とする請求項４記載の携帯型テレビジョン受像機。
【発明の詳細な説明】
【０００１】
【発明の属する技術分野】
本発明は無線信号の受信機能を有したアンテナ内蔵型ヘッドホン及び携帯型テレビジョン受像機に関し、特に受信状況の改善を図ったアンテナ内蔵型ヘッドホン及び携帯型テレビジョン受像機に関する。
【０００２】
【従来の技術】
一般的に、ヘッドホンは、無線信号を受信する受信装置、ポータブルオーディオ機器又は騒音下に使用されるコミュニケーション機器等に接続され、例えば、騒音下又はバス及び電車等の外部に音を出すことができないような状況において音又は音楽等を聞くため等に使用されている。
【０００３】
従来、使用する機器によっては、無線信号の受信機能を有するヘッドホンがある。この場合、ヘッドホンには、受信アンテナが必要となるが、外部にアンテナを設けると設置場所が必要になる等するため、ポータブル機器等の外部で使用する機器であってアンテナを設けることが困難である場合はそのポータブル機器等に接続するヘッドホンのコードを受信アンテナとして使用したり、また、ポータブル機器等にアンテナを小さくしたり等して設けられている。
【０００４】
【発明が解決しようとする課題】
しかしながら、上述した従来の技術においては、外部にアンテナを設置するため、アンテナの長さを理想長にできないと共に、アンテナの設置場所が規制される等して、無線信号の受信感度が低下するという問題点がある。また、機器とヘッドホンとを繋ぐコードをアンテナとして使用した場合、偏波方式は主に垂直方向となってしまい水平偏波の受信感度が悪いと共に、ユーザの微かな動きや風等でもコード位置が変化してしまうため、受信状況が常に変わり、受信精度が悪いという問題点もある。
【０００５】
本発明は、このような従来の実情に鑑みて提案されたものであり、使用者の動き及び位置等によっても無線信号の受信状態が変わらず安定して良好な受信を可能にするアンテナ内蔵型ヘッドホン及び携帯型テレビジョン受像機を提供することを目的とする。
【０００６】
【課題を解決するための手段】
上述の目的を達成するために、本発明に係るアンテナ内蔵型ヘッドホンは、携帯型テレビジョン受像機に接続されるアンテナ内蔵型ヘッドホンであって、音声信号が供給される右用音響ユニット及び左用音響ユニットと、上記右用音響ユニットと左用音響ユニットとを接続するバンド部と、上記バンド部に内蔵されるテレビ受信用アンテナであって、受信する周波数帯の中心周波数の波長の１／Ｎ（Ｎは自然数）の長さに調節された線材からなる複数のアンテナと、上記右用音響ユニット及び左用音響ユニットにそれぞれ接続された音響用コードと、上記複数のアンテナにそれぞれ接続されたアンテナ用同軸ケーブルと、上記音響用コードと同軸ケーブルとをまとめるチューブ部材とからなるコード部と、上記コード部の端部に設けられ、上記音響用コード及び上記アンテナ用同軸ケーブルを上記携帯型テレビジョン受像機の所定の機能部に接続するためのプラグ部とを有することを特徴とする。
【０００７】
本発明においては、複数の長さが異なるアンテナを内蔵したので、各アンテナの無線信号の受信感度特性が異なり、幅広い周波数の電波を安定して受信することができると共に、ユーザの微かな動き及び風等で受信状態が変化することがない。
【０００８】
本発明に係る携帯型テレビジョン受像機は、音声信号が供給される右用音響ユニット及び左用音響ユニットと、上記右用音響ユニットと左用音響ユニットとを接続するバンド部と、上記バンド部に内蔵されるテレビ受信用アンテナであって、受信する周波数帯の中心周波数の波長の１／Ｎ（Ｎは自然数）の長さに調節された線材からなる複数のアンテナと、上記右用音響ユニット及び左用音響ユニットにそれぞれ接続された音響用コードと、上記複数のアンテナにそれぞれ接続されたアンテナ用同軸ケーブルと、上記音響用コードと同軸ケーブルとをまとめるチューブ部材とからなるコード部と、上記コード部の端部に設けられ、上記音響用コード及び上記アンテナ用同軸ケーブルを所定の機能部に接続するためのプラグ部とを有するアンテナ内蔵型ヘッドホンと、複数の上記アンテナのうち何れか１つを選択する選択手段と、この選択手段が選択したアンテナで受信される無線信号から映像信号を出力する受信手段と、上記選択手段に接続され電界強度が最も高いアンテナを検出するレベル検出手段と、このレベル検出手段が検出したアンテナを選択するよう上記選択手段を制御する制御手段とを有することを特徴とする。
【０００９】
本発明においては、長さが異なるアンテナは、周波数によって異なる受信感度特性を有するので、幅広い周波数帯の無線信号を受信できると共に、最も電界強度が高いアンテナを外部機器に設けられた検出手段及び選択手段で検出及び選択してその無線信号を受信するため、各アンテナの有する受信感度特性を補完し合うことができ、受信装置の受信感度が極めて高く、且つ受信状態を安定させることができる。
【００１０】
【発明の実施の形態】
以下、本発明を適用した具体的な実施の形態について、図面を参照しながら詳細に説明する。図１は、本発明の実施の形態におけるアンテナ内蔵型ヘッドホンを示す模式図である。
【００１１】
図１に示すように、本実施の形態のアンテナ内蔵型ヘッドホン１は、右耳用音響ユニット１３ａと、この音響ユニット１３ａに一端が接続され、例えば絶縁体からなるバンド部１４と、このバンド部１４の他端に接続された左耳用音響ユニット１３ｂとからなるヘッドホンに、相互に長さが異なるアンテナ１５ａ，１５ｂ，１５ｃが内蔵されたものである。音響ユニット１３ａには、コード１２が接続され、このコード１２がアンテナ１５ａ，１５ｂ，１５ｃに接続されている。コード１２は、各音響ユニット１３ａ，１３ｂに音声信号を送信し、また各アンテナ１５ａ，１５ｂ，１５ｃで受信された無線信号をポータブル機器等の外部機器に個別に送信するもので、コード１２の端部にはポータブル機器（図示せず）に接続するための接続プラグ１１が設けられている。
【００１２】
コード１２は、音声信号を左右の音響ユニットに送信する各音響用コードと、バンド部１４に内蔵された各アンテナ１５ａ，１５ｂ，１５ｃに接続される３本のアンテナ部材とが１本にまとめられたものである。即ち、コード１２は、図２（ａ）に示すように、外部機器から音響ユニット１３ａ，１３ｂへ音声信号を送信する音響用コード１６ａ，１６ｂ及び各アンテナ１５ａ，１５ｂ，１５ｃに接続する３本の同軸ケーブルからなるアンテナ部材１７ａ〜１７ｃの合計５本のコードが１本のチューブ１８によりまとめられたものである。音響用コード１６ａ，１６ｂは、コード１２から夫々音響ユニット１３ａ，１３ｂへ延長されて音響信号を供給する。
【００１３】
各同軸ケーブルは、図２（ｂ）に示すように、中心導体１２１をポリエチレン等の中間絶縁体１２２で絶縁し、外部導体１２３を導線の編組で形成し、更に外側をポリビニール等（図示せず）で被覆したケーブルであり、中間絶縁体１２２及び外部導体１２３から露出した中心導体１２１がバンド部１４に内蔵されるアンテナであり、この中心導体１２１の露出部の長さＬが実際にアンテナとして作用する有効アンテナ長となる。
【００１４】
各アンテナ１５ａ，１５ｂ，１５ｃで受信された無線信号はアンテナ部材１７ａ〜１７ｃ及びプラグ１１を介して個別に外部機器に供給される。外部機器では、後述する無線信号受信回路によって個別に供給された無線信号から１つの無線信号が選択されて処理され、映像信号等が生成されて、ＴＶ画像等が外部機器に設けられた表示手段によって表示される。
【００１５】
また、アンテナ部材１７ａ〜１７ｃとして、同軸ケーブルの代わりにシールド線等を使用することもできる。更に、アンテナ部材１７ａ〜１７ｃの何れかに音響信号を多重することで、音響用コード１６ａ，１６ｂを不要としてもよい。これにより、コード１２を細くすることができ、携帯等に更に便利である。
【００１６】
本実施の形態においては、アンテナは３本とし、各アンテナ１５ａ，１５ｂ，１５ｃは、夫々例えば９０乃至１１０ＭＨｚのＬ−ＶＨＦ（very high frequency）帯、例えば１７０乃至２２０ＭＨｚのＨ−ＶＨＦ帯及び例えば４７０乃至７７０ＭＨｚのＵＨＦ（ultrahigh frequency）帯の各周波数帯に合わせたアンテナ長となっており、夫々１乃至３チャンネル、４乃至１２チャンネル及び１３乃至６２チャンネルのＴＶ電波に相当する周波数帯を受信可能となっている。即ち、ＵＨＦ帯の中心周波数の波長をλ１、Ｈ−ＶＨＦ帯の中心周波数の波長をλ２、及びＬ−ＶＨＦ帯の中心周波数の波長をλ３とするとき、各アンテナ１５ａ，１５ｂ，１５ｃのアンテナ長さを例えば夫々λ１／２，λ２／２，λ３／２とすればよい。
【００１７】
このように受信したい周波数帯から、最適なアンテナ長Ｌｎを算出し、内蔵するのアンテナ長ＬをＬｎとする。ここで、最適なアンテナ長Ｌｎとは、例えば、受信用の周波数帯の中心周波数における波長の１／Ｎ（例えば、１／２又は１／４等）の長さとして算出することができる。ここで、Ｎは自然数とする。
【００１８】
次に、上述したアンテナ内蔵型ヘッドホンを接続する外部機器における電波受信方法について説明する。各アンテナ１５ａ，１５ｂ，１５ｃにて受信した無線信号は、アンテナ部材１７ａ〜１７ｃを介して外部機器に個別に送信され、外部機器内の無線信号受信回路に個別に供給される。
【００１９】
図３は、本実施の形態の外部機器における無線信号受信回路を示すブロック図である。図３は、アンテナを４本接続できる受信回路を示す。図３に示すように、無線信号受信回路２０は、アンテナ接続部２１乃至２４が設けられ、複数のアンテナで受信された無線信号のうち何れか１つを選択する選択部（選択手段）２５と、この選択部２５が選択した無線信号から映像信号を出力する受信手段であるＴＶチューナ２７と、ＴＶチューナ２７に接続され電界強度が最も高いアンテナからの映像信号を検出するレベル検出手段（図示せず）を有し、レベル検出手段が検出した映像信号が得られる無線信号を選択するよう選択部２５を制御する制御手段である制御回路２６とから構成されている。
【００２０】
以下、この無線信号受信回路の動作について説明する。選択部２５のアンテナ接続部２１乃至２４には、アンテナ内蔵型ヘッドホンに内蔵された各アンテナに接続される同軸ケーブル等のアンテナ部材が接続され、各アンテナで受信された無線信号がアンテナ部材から各接続部２１乃至２４を介して個別に供給される。本実施の形態においては、内蔵されるアンテナは３本であるため、アンテナ接続部２１乃至２４のうち、３つのみが使用される。選択部２５には、複数の無線信号と共に制御回路２６からアンテナ選択信号２８が供給され、複数の無線信号のうち、１つの無線信号が選択される。選択された無線信号（ＲＦ（radio frequency）信号）２９はＴＶチューナ２７に入力される。
【００２１】
ＴＶチューナ２７はＲＦ信号２９から映像信号（ＮＴＳＣ（National TV System Committee）信号）３０を生成し、映像信号処理部３１へ映像信号３０を出力する。映像信号処理部３１は色信号及び輝度信号等を生成し例えば外部機器に設けられた表示部（図示せず）へ出力して映像を表示する。
【００２２】
制御回路２６は、先ず、選択部２５からの無線信号ＲＦ２９がＴＶチューナ２７で受信されて生成された映像信号が順次供給される。制御回路２６に供給された各映像信号は、一旦、制御回路２６のメモリ（図示せず）内に格納され、検出手段により、格納された映像信号のうち、もっとも受信強度が高い映像信号を検出し、この映像信号を生成できる無線信号が入力されるアンテナ接続部の情報を取得する。そして、この情報に基づき、最適な映像信号を得ることができる無線信号を選択するためのアンテナ選択信号２８を生成する。制御回路２６は、このようにアンテナ選択信号２８を定期的に生成することができる。
【００２３】
図４は、図３に示す無線信号受信回路の変形例を示す回路図である。なお、図４に示す変形例において、図１に示すアンテナ内蔵型ヘッドホン及び図３に示す無線信号受信回路と同一の構成要素には同一の符号を付してその詳細な説明は省略する。
【００２４】
図４に示すように、無線信号受信回路３２は、図４と同様に、選択部２５及び映像信号処理部３１を有する。ここで、図４に示す無線信号受信回路３２においては、選択部２５で選択されたＲＦ信号２９が供給され、このＲＦ信号２９の感度を検出する検出手段（図示せず）を有するＴＶチューナ３３と、このＴＶチューナ３３の検出手段に接続された制御回路３４が設けられている。ＴＶチューナ３３は、検出手段からレベル検出出力３５を制御回路３４へ供給する。
【００２５】
以下、図４に示す変形例の構成及び動作について更に詳細に説明する。無線信号受信回路３２においても、プラグ１１の各アンテナ部材１７ａ，１７ｂ，１７ｃと、選択部２５に設けられたアンテナ接続部２２乃至２４とが接続される。このアンテナ接続部２２乃至２４には、長さが異なる各アンテナ１５ａ，１５ｂ，１５ｃにより受信された無線信号が入力される。各無線信号は、後述するように、アンテナの長さが異なるため、周波数によってその信号強度が異なる。選択部２５は、切替手段２５ａを有し、アンテナ接続部２２乃至２４を順次切り換え、各アンテナ接続部２２乃至２４から入力される無線信号ＲＦ２９をＴＶチューナ３３に供給する。
【００２６】
ＴＶチューナ３３は、メモリ（図示せず）を有し、選択部２５から供給される３種類の無線信号を保存する。ＴＶチューナ３３に設けられたレベル検出手段は、上記メモリに保存された無線信号から、最も信号強度が高い無線信号を検出する。そして、最も信号強度が高い無線信号を出力したアンテナ接続部又はアンテナ部材の情報をレベル検出出力３５として制御回路３４へ供給する。
【００２７】
制御回路３４は、このレベル検出出力３５に基づいてアンテナ接続部２２乃至２４のいずれかを切替手段２５ａにて選択するためのアンテナ選択信号２８を生成し、選択部２５へ供給する。選択部２５は、このアンテナ選択信号２８によりアンテナ接続部２２乃至２４のうち、最も信号強度が高い無線信号を供給するアンテナ接続部を選択し、そのアンテナ接続部に接続されたアンテナ部材から供給される無線信号ＲＦ２９をＴＶチューナ３３に出力する。
【００２８】
ＴＶチューナ３３はこのＲＦ信号２９から映像信号（ＮＴＳＣ（National TV System Committee）信号）３０を生成し、映像信号処理部３１へ映像信号３０を出力する。映像信号処理部３１は色信号及び輝度信号等を生成し例えば表示部（図示せず）へ出力して映像を表示する。なお、このような無線信号の検出のタイミングは、外部機器に電源を入れた時等だけなく、一定の間隔で自動的に検出するようにしてもよい。
【００２９】
このように、選択部２５からの無線信号を一旦全てメモリに格納し、最も受信状態がよい映像信号又は無線信号を検出して、最も受信状態がよい無線信号を選択して映像信号を生成するようにしたので、無線信号受信回路では映像信号を安定して出力できる。
【００３０】
次に、本発明の効果について更に詳細に説明する。図５は、横軸に周波数をとり、縦軸に受信感度をとって、複数の長さが異なるアンテナの感度特性を模式的に示すグラフ図である。各アンテナは、所望の周波数帯を受信するため、例えばその周波数帯の中心周波数における１／２波長の長さでヘッドホンに内蔵されているものとする。
【００３１】
図５に示すように、各アンテナ４１乃至４３は、アンテナ長（エレメント長）が異なるため周波数に対する感度特性が異なる。ある周波数の電波を受信したい場合、一般に、アンテナ長をその周波数の波長の１／２にすると受信感度が最も高くなる。例えば、アンテナ４１は、周波数Ａにおいて、他のアンテナ４２，４３に比べて最も受信感度が高いが、アンテナ４１の受信感度は周波数Ａを中心として一方的に下がるわけではなく、例えば周波数Ｂ，Ｃにおいて受信感度がやや高くなる。
【００３２】
本発明においては、このようなアンテナの受信感度特性を利用して、受信感度特性が異なる複数のアンテナを用意し、ある周波数において、最も受信感度が高いアンテナを使用することにより互いの受信感度を補完し合う。即ち、アンテナ４１が、例えば周波数帯４４を最適に受信するために、例えば周波数Ａの１／２波長の長さで設けられたものである場合、周波数帯４４以外の周波数帯においても、アンテナ４２，４３よりも受信感度が高くなる例えば周波数Ｂのような周波数がある場合は、アンテナ４１にて受信を行うようにする。このように、長さが異なり受信感度特性が異なる各アンテナの各受信感度特性をうまく補完できるよう、アンテナを組み合わせることによって受信感度が高く受信信号の強度が高いアンテナを選択して受信を安定させることができる。
【００３３】
従来、各アンテナは、受信する周波数帯に合わせて最適な長さで設けられ、受信する周波数帯によってアンテナが切り替えられていたが、本発明においては、異なる長さのアンテナを複数本設け、受信する周波数帯によってアンテナを切り替えるのではなく、信号強度によってアンテナを切り換えることにより互いの受信感度特性をうまく利用し補完し合って電波の受信を安定させることができる。
【００３４】
上述したＬ−ＶＨＦ帯用アンテナにおいても、周波数によっては、Ｈ−ＶＨＦ帯又はＵＨＦ帯の電波を良好に受信することができる。逆に、Ｌ−ＶＨＦ帯用アンテナよりも、Ｈ−ＶＨＦ帯用アンテナ又はＵＨＦ帯用アンテナの方がＬ−ＶＨＦ帯の電波を良好に受信できる場合もある。このように、各アンテナは、所定の周波数帯の電波を受信できるよう長さが調節されているが、所定の周波数帯だけではなく、所定外の周波数であっても受信状態が良好な場合は、そのアンテナを使用する。
【００３５】
図３及び図４に示す無線信号受信回路において、選択部２５内に検出手段を設け、アンテナの受信状態を検知し、最も電界強度が高いアンテナからの信号を検出するように構成することも可能である。この場合も、検出手段は、制御回路に接続され、制御回路は、最も受信状態がよい信号がＴＶチューナに供給されるようにアンテナを選択するアンテナ選択信号２８を選択部２５に供給する。なお、選択部２５のアンテナ接続部は２以上であればいくつ設けられてもよい。
【００３６】
また、最も受信感度が高いアンテナを選択するための制御回路として、例えばダイバーシティＩＣ（Integrated Circuit）を使用し、例えば垂直帰線期間に各アンテナの電界強度を測定し、最も電界強度が高いアンテナを選択することができる。また、本実施の形態において、長さが異なる３本のアンテナを内蔵するものとしたが、異なる長さの複数本のアンテナに加えて同一長さのアンテナを内蔵し、異なる長さのアンテナの各受信感度特性をうまく補完し合うと共にダイバーシティ機能を付加することも可能である。
【００３７】
また、上記実施の形態においては、無線信号をＴＶ電波としたが、有線ＴＶ放送波、ＦＭ／ＡＭ放送波、ビデオ信号、ＦＭ多重文字データ、及び衛星航法システムデータ及びＶＩＣＳ（財団法人道路交通情報通信システム）データ等、各種の無線信号を受信することも可能である。
【００３８】
本実施の形態によれば、長さが異なる複数のアンテナをヘッドホンに内蔵したので、各アンテナが有する受信感度特性が異なり、互いの受信感度特性を補完し合うことができるため、受信感度が最も高いアンテナで電波を受信することができ、携帯に便利で且つ受信感度が安定する。また、長さが異なる複数のアンテナにより、広い周波数帯の電波の受信が可能である。更に、ヘッドホンは使用者の頭部に装着されるため、ポータブル機器等の外部機器にアンテナを設置するよりも高い位置にアンテナを設けることができ、受信感度が更に向上する。更にまた、ダイバーシティ機能を有する制御回路を設けて、最も受信状態がよいアンテナを選択して受信することができるため、障害物等による受信感度の低下を低減することができる。
【００３９】
また、アンテナ１５ａ，１５ｂ，１５ｃを線材としてバンド部１４内に内蔵することにより、水平波の電波に対応することができる。更に、バンド部１４の半径を大きくし、使用者の頭部から距離を離すことにより、電波受信の感度が低下することを防止することができる。更にまた、使用者がバンド部を外しているときでも、バンド部の材質を絶縁体とし、アンテナをその内部に格納したため、アンテナ１５へ人体が直接接触することによって受信状態が悪化することを防止することができる。
【００４０】
また、本発明は上述の実施の形態のように、左右の音響ユニットを接続するバンド部を１つ設けた図１に示す形状に限定するものではない。アンテナの長さは適宜調節でき、また、バンド部１４の形状を変えることにより、水平・垂直偏波の様々な指向性を有する電波に対応するアンテナを内蔵することができる。更に、上述の実施の形態においては、アンテナの数は３本としたが、本発明においては、必要に応じて長さが異なるアンテナを２本以上設けることができる。
【００４１】
図６乃至図１２に上記実施の形態の変形例を示す。所望の周波数帯を受信するために算出した最適アンテナ長Ｌｎが、バンド部１４よりも長い場合、図６に示すように、長さが異なる複数のアンテナ１１５をループ状にしてバンド部１４内に内蔵することができる。なお、図６のアンテナ１１５は１本のみを図示する。
【００４２】
更に、バンド部１４よりも最適アンテナ長Ｌｎが長い場合、及びループ状にしてもアンテナ長Ｌｎに達しない場合等には、アンテナをコード１２内に延長してコード１２に内蔵することも可能である。なお、アンテナ部材をバンド部１４内に延長して設け、アンテナの長さを短くすることもできる。
【００４３】
これにより、受信する周波数帯によって、アンテナをバンド部１４にループ状に内蔵したり、又はアンテナをコード１２内に延長したりする等して所望の長さにすることができると共に、アンテナ長は十分長くすることができ、例えは低い周波数帯においても良好な電波を受信することができ、例えば短いアンテナを内蔵する場合に比して感度の低下を防止することができる。
【００４４】
また、図７に示すように、バンド部の数は１本に限らず、アンテナ内蔵型ヘッドホン５０は、左右の音響ユニット５３ａ，５３ｂを接続し、使用者の頭頂部を通るバンド部５４ａと、左右の音響ユニット５３ａ，５３ｂを接続し、使用者の後頭部を通るバンド部５４ｂとを有する。このように取り付けられたバンド部５４ａとバンド部５４ｂとは略９０°の角度を有する。バンド部５４ａ，５４ｂ内に長さが異なる夫々アンテナ５５ａ，５５ｂを内蔵することにより、広い周波数帯域の電波を安定して受信することができると共に、水平及び垂直の両偏波に対しても対応可能とすることができる。なお、各バンド部５４ａ，５４ｂには、各１本のアンテナを内蔵するだけではなく、複数本の長さが異なるアンテナを内蔵してもよい。
【００４５】
また、図８（ａ）に示すように、右若しくは左又は左右両方の音響ユニット６３に複数の長さが異なる棒状アンテナ６５を内蔵してもよい。また、図８（ｂ）に示すように、右若しくは左又は左右両方の音響ユニット７３内部に複数の長さが異なるアンテナ７５をコイル状にして内蔵することもできる。また、アンテナ７５はバンド部７４内延長して内蔵してもよい。これにより、アンテナ７５のアンテナ長を長くすることができ、アンテナが短くて受信感度が落ちる場合は、感度低下を防止することができる。このように、音響ユニット内にアンテナを内蔵することにより、バンド部を有さないヘッドホンであるいわゆるインナーイヤータイプのようなヘッドホンにも対応することができる。即ち、図９（ａ）及び図９（ｂ）に示すに、インナーイヤータイプのヘッドホンの音響ユニット８３内にループ状のアンテナ８５を内蔵してもよい。
【００４６】
更にまた、図１０に示すように、音響ユニット９３に棒状の突出部９６を設け、この突出部９６内に長さが異なる複数のアンテナを内蔵するものとしてもよい。この際、突出部９６が形成された音響ユニット９３のハウジング部９７を回転可能の構成とすることにより、最も受信状況がよい位置に突出部９６を向け、受信感度を向上させることができる。なお、本発明は、長さが異なる複数本のアンテナを設けるものであるが、図８乃至図１０においては１本のみを示す。
【００４７】
また、図１１に示すように、音響ユニット１０３に相互に略々９０°の角度を有する突出部１０６を設けてもよい。突出部１０６は、水平方向へ延びる突出部１０６ａと、垂直方向へ延びる突出部１０６ｂとからなり、この突出部１０６ａ，１０６ｂにアンテナを内蔵することにより、垂直水平の両偏波に対応することができる。このように、突出部は左右の音響ユニットに対し、必要に応じて複数個設けることができ、これらの突出部にアンテナを内蔵し、これらのアンテナ受信状態により最も受信感度が高いアンテナを選択することができる。また、図１０及び図１１に示すヘッドホンにおいても、アンテナをループ状等にして音響ユニットに内蔵し、又は更に延長してバンド部に内蔵すること等により、アンテナ長を調整することが可能である。
【００４８】
更に、図１０及び図１１のように突出部も設けた際、携帯時等、アンテナが内蔵された突出部が邪魔又は不要になる場合は、図１２に示すように、音響ユニット１１３のハウジング１１７と、突出部１１６に内蔵される各アンテナ１１５とを接続するための接続部１１８を設け、この接続部１１８を介して各アンテナで受信された電波を外部機器に送信するようにし、突出部１１６を着脱可能の構成としてもよい。
【００４９】
なお、受信状態によりアンテナを切り替える制御回路等は、ヘッドホンを接続する外部機器に設けず、ヘッドホンの例えば音響ユニットに内蔵してもよい。
【００５０】
また、ロッドアンテナを使用すれば、使用者が使用する周波数に最適なアンテナ長にして、感度を向上することができる。
【００５１】
【発明の効果】
以上詳細に説明したように本発明に係るアンテナ内蔵型ヘッドホンは、無線信号の受信機能又は送信機能を有する外部機器に接続されるものであって、電波の受信に使用される長さが異なる複数本のアンテナが内蔵されているため、各アンテナは異なる受信感度特性を有し、幅広い周波数の電波を受信することができると共に、互いの受信感度特性を補完し合うことができ、また、ユーザの微かな動き及び風等で受信状態が変化することがなく、受信状態が極めて安定する。
【００５２】
また、本発明に係る信号受信装置は、無線信号の受信機能又は送信機能を有する外部機器と、電波の受信に使用される長さが異なる複数本のアンテナが内蔵されたアンテナ内蔵型ヘッドホンとを具備し、上記外部機器は、複数の上記アンテナのうち何れか１つを選択する選択手段と、この選択手段が選択したアンテナで受信される無線信号から映像信号を出力する受信手段と、上記選択手段に接続され電界強度が最も高いアンテナを検出するレベル検出手段と、このレベル検出手段が検出したアンテナを選択するよう上記選択手段を制御する制御部とを有するため、異なる受信感度特性を有する複数のアンテナにより受信される無線信号のうち、周波数によって、最も受信状態がよい無線信号を検出して、各アンテナの受信感度特性を補完し合うことができ、無線信号を極めて安定して受信することができる。
【図面の簡単な説明】
【図１】本発明の実施の形態におけるアンテナ内蔵型ヘッドホンを示す模式図である。
【図２】（ａ）及び（ｂ）は夫々コード及び同軸ケーブルを拡大して示す模式図である。
【図３】本発明の実施の形態における信号受信装置の信号受信回路を示すブロック図である。
【図４】本発明の実施の形態における信号受信装置の信号受信回路の変形例を示すブロック図である。
【図５】横軸に周波数をとり、縦軸に受信感度をとって、複数の長さが異なるアンテナの感度特性を模式的に示すグラフ図である。
【図６】バンド部にループ状のアンテナを内蔵するヘッドホンを示す模式図である。
【図７】アンテナ内蔵型ヘッドホンの他の例を示す模式図である。
【図８】アンテナ内蔵型ヘッドホンの他の例を示す模式図である。
【図９】アンテナ内蔵型ヘッドホンの他の例を示す模式図である。
【図１０】アンテナ内蔵型ヘッドホンの他の例を示す模式図である。
【図１１】アンテナ内蔵型ヘッドホンの他の例を示す模式図である。
【図１２】アンテナ内蔵型ヘッドホンの他の例を示す模式図である。
【符号の説明】
１  アンテナ内蔵型ヘッドホン、１１  プラグ、１２  コード、１３ａ，１３ｂ  音響ユニット、１４  バンド部、１５ａ，１５ｂ，１５ｃ  アンテナ、２１〜２４  アンテナ接続部、２５  選択部、２６  制御回路、２７  ＴＶチューナ、２８  アンテナ選択信号、２９  ＲＦ信号、３０  映像信号、３１  映像信号処理部
【図１】
0004123800.tif 000002
【図２】
0004123800.tif 000003
【図３】
0004123800.tif 000004
【図４】
0004123800.tif 000005
【図５】
0004123800.tif 000006
【図６】
0004123800.tif 000007
【図７】
0004123800.tif 000008
【図８】
0004123800.tif 000009
【図９】
0004123800.tif 000010
【図１０】
0004123800.tif 000011
【図１１】
0004123800.tif 000012
【図１２】
0004123800.tif 000013